(57)【要約】【課題】ターゲットカラープロファイルに合わせた印刷を転写媒体の特性に応じて行うことを可能にする。【解決手段】画像データに基づいて転写媒体に画像を印刷する画像形成部と、転写媒体を搬送する搬送部と、ターゲットカラープロファイルと、転写媒体プロファイルとを格納する記憶部と、記憶部画像形成部を制御する制御部を有し、制御部は、ターゲットカラープロファイルに基づいて画像形成部でテストチャートを印刷可能にし、テストチャートを測色した測色データを受けると、測色データとターゲットカラープロファイルに基づくターゲットチャートのデータを比較し、比較結果に基づいて画像形成部の色調整を実施可能にする色調整機能を有し、色調整後の結果を得ると、色調整後の結果に関する情報を、転写媒体プロファイルに関連付けて記憶部に格納する。【選択図】図３
2016150469.tif 000002
【特許請求の範囲】
【請求項１】
画像データに基づいて転写媒体に画像を印刷する画像形成部と、
転写媒体を搬送する搬送部と、
ターゲットカラープロファイルと、転写媒体プロファイルとを格納する記憶部と、
前記記憶部と、前記画像形成部とを制御する制御部とを有し、
前記制御部は、前記ターゲットカラープロファイルに基づいて前記画像形成部でテストチャートを印刷可能にし、該テストチャートを測色した測色データを受けると、該測色データと前記ターゲットカラープロファイルに基づくターゲットチャートのデータとを比較し、比較結果に基づいて前記画像形成部の色調整を実施可能にする色調整機能を有し、
前記色調整後の結果を得ると、前記色調整後の結果に関する情報を、前記転写媒体プロファイルに関連付けて前記記憶部に格納することを特徴とする画像形成装置。
【請求項２】
前記制御部は、前記色調整における調整値を、前記転写媒体プロファイルに関連付けて前記記憶部に格納することを特徴とする請求項１記載の画像形成装置。
【請求項３】
前記制御部は、前記色調整後に、前記ターゲットカラープロファイルに基づいて前記画像形成部で印刷されたテストチャートを測色した測色データを受け、該測色データとターゲットチャートのデータを比較して前記色調整後の結果に関する情報を得ることを特徴とする請求項１または２に記載の画像形成装置。
【請求項４】
前記色調整後の結果に関する情報に、画質レベルを含むことを特徴とする請求項１〜３のいずれか１項に記載の画像形成装置。
【請求項５】
前記画質レベルが色差であることを特徴とする請求項４に記載の画像形成装置。
【請求項６】
前記色調整後の結果に関する情報に、前記ターゲットカラープロファイルを識別する情報を含むことを特徴とする請求項１〜５のいずれか１項に記載の画像形成装置。
【請求項７】
前記記憶部に、複数のターゲットカラープロファイルが格納されており、ターゲットカラープロファイル毎に、前記色調整後の結果に関する情報が、前記転写媒体プロファイルに関連付けて前記記憶部に格納されていることを特徴とする請求項１〜６のいずれか１項に記載の画像形成装置。
【請求項８】
前記転写媒体プロファイルは、色の再現性に影響を与える転写媒体属性毎に作成されることを特徴とする請求項１〜７のいずれか１項に記載の画像形成装置。
【請求項９】
色の再現性に影響を与える転写媒体属性が、転写媒体の種類および坪量の一方または両方であることを特徴とする請求項８に記載の画像形成装置。
【請求項１０】
前記色調整における調整値を、色の再現性に起因する転写媒体属性に関連づけて前記転写媒体プロファイルに格納されていることを特徴とする請求項８または９に記載の画像形成装置。
【請求項１１】
前記制御部は、転写媒体属性に応じて色調整をした場合に、色調整後の結果に関する情報を、前記転写媒体属性が同じで転写媒体サイズが異なる転写媒体プロファイルを一括で更新することを特徴とする請求項１〜１０のいずれか１項に記載の画像形成装置。
【請求項１２】
転写媒体上の画像を測色する測色部を有し、該測色部は、測定された測色データを前記制御部に送信するように該制御部に電気的に接続されていることを特徴とする請求項１〜１１のいずれか１項に記載の画像形成装置。
【請求項１３】
前記制御部は、前記色調整が、前記テストチャートの色を前記ターゲットチャートの色に合わせる調整であることを特徴とする請求項１〜１２のいずれか１項に記載の画像形成装置。
【請求項１４】
ターゲットカラープロファイルに基づいて画像形成部でテストチャートを印刷する工程と、
該テストチャートを測色して測色データを得る工程と、
前記測色データと、前記ターゲットカラープロファイルに基づくターゲットチャートのデータとを比較する工程と、
前記データの比較結果に基づいて前記画像形成部の色調整を行う工程と、
前記色調整後の結果に関する情報を、転写媒体プロファイルに関連付けて記憶部に記憶する工程とを有することを特徴とする画像形成方法。
【請求項１５】
画像形成装置を制御する制御部に、
ターゲットカラープロファイルに基づいて画像形成部でテストチャートを印刷するステップと、
該テストチャートを測色した測色データを得るステップと、
前記測色データと、前記ターゲットカラープロファイルに基づくターゲットチャートのデータとを比較するステップと、
前記データの比較結果に基づいて前記画像形成部の色調整を行うステップと、
前記色調整後の結果に関する情報を、転写媒体プロファイルに関連付けて記憶部に記憶するステップとを、実行させることを特徴とする画像形成制御プログラム。
【発明の詳細な説明】
【技術分野】
【０００１】
この発明は、カラープロファイルに合わせた色によって出力を可能とする画像形成装置、画像形成方法および画像形成制御プログラムに関するものである。
【背景技術】
【０００２】
画像形成装置で印刷を行う際には、一般にその装置に適合させた出力プロファイルや汎用的な出力プロファイルを用いて画像を形成している。その一方で、ユーザーの希望によるターゲットカラーや基準的なターゲットカラーによって印刷を行いたいという要望がある。このような要望に対しては、印刷目標とするターゲットカラープロファイルを取得し、このターゲットカラープロファイルに基づいて印刷したい画像を色変換して、その画像形成装置が備える出力プロファイルで印刷可能にする。
例えば、特許文献１では、顧客の要求画質が明示的でない場合でも、顧客の依頼に応じて、品質、コスト、納期の最適なバランスの印刷物を提供可能にする。印刷物の品質を数値で表した画質指数と顧客の評価を関連付けて履歴データベースに登録しておき、最適なプリンタを選択し印刷する。 
【先行技術文献】
【特許文献】
【０００３】
【特許文献１】特開２０１３−２４６７２２号公報
【発明の概要】
【発明が解決しようとする課題】
【０００４】
一方、画質レベルは、用紙種類や坪量など、用紙に依存している部分がある。例えば、画質レベルは、普通紙では実現できないレベルの高い画質でも、普通紙よりも上質な塗工紙では実現できる。ユーザーは、所望の画質レベルを実現できる用紙を選択したい。また、印刷した用紙における色精度の程度を知りたいという要望もある。
しかし、従来の画像形成装置では、画質レベルと用紙との関連については考慮されておらず、画質レベルに応じた適正な用紙を選択することが難しく、印刷した用紙における色精度の程度を知ることはできない。特許文献１でも、画質などを基に、プリンタの選択を可能にしているが、画像形成装置において所望の品質レベルで印刷を行う際の配慮はなされていない。
【０００５】
本発明は、上記事情を背景としてなされたものであり、ターゲットカラープロファイルに合わせた印刷を転写媒体の特性に応じて行うことを可能にする画像形成装置、画像形成方法および画像形成制御プログラムを提供することを目的とする。
【課題を解決するための手段】
【０００６】
すなわち、本発明の画像形成装置のうち、第１の本発明は、
画像データに基づいて転写媒体に画像を印刷する画像形成部と、
転写媒体を搬送する搬送部と、
ターゲットカラープロファイルと、転写媒体プロファイルとを格納する記憶部と、
前記記憶部と、前記画像形成部とを制御する制御部とを有し、
前記制御部は、前記ターゲットカラープロファイルに基づいて前記画像形成部でテストチャートを印刷可能にし、該テストチャートを測色した測色データを受けると、該測色データと前記ターゲットカラープロファイルに基づくターゲットチャートのデータとを比較し、比較結果に基づいて前記画像形成部の色調整を実施可能にする色調整機能を有し、
前記色調整後の結果を得ると、前記色調整後の結果に関する情報を、前記転写媒体プロファイルに関連付けて前記記憶部に格納することを特徴とする。
【０００７】
第２の本発明の画像形成装置は、前記本発明において、前記制御部は、前記色調整における調整値を、前記転写媒体プロファイルに関連付けて前記記憶部に格納することを特徴とする。
【０００８】
第３の本発明の画像形成装置は、前記本発明において、前記制御部は、前記色調整後に、前記ターゲットカラープロファイルに基づいて前記画像形成部で印刷されたテストチャートを測色した測色データを受け、該測色データとターゲットチャートのデータを比較して前記色調整後の結果に関する情報を得ることを特徴とする。
【０００９】
第４の本発明の画像形成装置は、前記本発明において、前記色調整後の結果に関する情報に、画質レベルを含むことを特徴とする。
【００１０】
第５の本発明の画像形成装置は、前記本発明において、前記画質レベルが色差であることを特徴とする。
【００１１】
第６の本発明の画像形成装置は、前記本発明において、前記色調整後の結果に関する情報に、前記ターゲットカラープロファイルを識別する情報を含むことを特徴とする。
【００１２】
第７の本発明の画像形成装置は、前記本発明において、前記記憶部に、複数のターゲットカラープロファイルが格納されており、ターゲットカラープロファイル毎に、前記色調整後の結果に関する情報が、前記転写媒体プロファイルに関連付けて前記記憶部に格納されていることを特徴とする。
【００１３】
第８の本発明の画像形成装置は、前記本発明において、前記転写媒体プロファイルは、色の再現性に影響を与える転写媒体属性毎に作成されることを特徴とする。
【００１４】
第９の本発明の画像形成装置は、前記本発明において、色の再現性に影響を与える転写媒体属性が、転写媒体の種類および坪量の一方または両方であることを特徴とする。
【００１５】
第１０の本発明の画像形成装置は、前記本発明において、前記色調整における調整値を、色の再現性に起因する転写媒体属性に関連づけて前記転写媒体プロファイルに格納されていることを特徴とする。
【００１６】
第１１の本発明の画像形成装置は、前記本発明において、前記制御部は、転写媒体属性に応じて色調整をした場合に、色調整後の結果に関する情報を、前記転写媒体属性が同じで転写媒体サイズが異なる転写媒体プロファイルを一括で更新することを特徴とする。
【００１７】
第１２の本発明の画像形成装置は、前記本発明において、転写媒体上の画像を測色する測色部を有し、該測色部は、測定された測色データを前記制御部に送信するように該制御部に電気的に接続されていることを特徴とする。
【００１８】
第１３の本発明の画像形成装置は、前記本発明において、前記制御部は、前記色調整が、前記テストチャートの色を前記ターゲットチャートの色に合わせる調整であることを特徴とする。
【００１９】
第１４の本発明の画像形成方法は、前記本発明において、ターゲットカラープロファイルに基づいて画像形成部でテストチャートを印刷する工程と、
該テストチャートを測色して測色データを得る工程と、
前記測色データと、前記ターゲットカラープロファイルに基づくターゲットチャートのデータとを比較する工程と、
前記データの比較結果に基づいて前記画像形成部の色調整を行う工程と、
前記色調整後の結果に関する情報を、転写媒体プロファイルに関連付けて記憶部に記憶する工程と、を有することを特徴とする。
【００２０】
第１５の本発明の画像形成制御プログラムは、
画像形成装置を制御する制御部に、
ターゲットカラープロファイルに基づいて画像形成部でテストチャートを印刷するステップと、
該テストチャートを測色した測色データを得るステップと、
前記測色データと、前記ターゲットカラープロファイルに基づくターゲットチャートのデータとを比較するステップと、
前記データの比較結果に基づいて前記画像形成部の色調整を行うステップと、
前記色調整後の結果に関する情報を、転写媒体プロファイルに関連付けて記憶部に記憶するステップと、を実行させることを特徴とする。
【発明の効果】
【００２１】
以上説明したように、本発明によれば、転写媒体の選択に応じてターゲットカラープロファイルに合わせた印刷を行うことができ、印刷された転写媒体における色精度の程度も容易に知ることができる効果がある。
【図面の簡単な説明】
【００２２】
【図１】本発明の一実施形態の画像形成装置を示す機械的な概略図である。
【図２】同じく、制御部の機能ブロック図である。
【図３】同じく、色調整後の用紙プロファイルへの色差格納を行う手順を説明するフローチャートである。
【図４】同じく、カラープロファイルに基づく印刷の形態を説明する図である。
【図５】同じく、新規の用紙プロファイルを登録する手順を示すフローチャートである。
【発明を実施するための形態】
【００２３】
以下に、本発明の一実施形態を説明する。
本発明の一実施形態の画像形成装置１について、機械的な概略を図１に基づいて説明する。
画像形成装置１は、画像形成装置本体２の上部側に自動原稿給送装置（ＡＤＦ）１３が設けられており、自動原稿給送装置（ＡＤＦ）１３で給送される原稿は、図２で示されるスキャナー部１３０で画像読取が可能になっている。なお、原稿は、プラテンガラス上で読み込むこともできる。
また、画像形成装置本体２の上部側で、プラテンガラスが位置しない箇所に、表示部１４が設置されている。表示部１４は、ＬＣＤとタッチパネルで構成されており、ユーザーによる操作および情報の表示が可能になっている。この実施形態では表示部１４は、操作と表示の機能を兼用している。なお、操作部をマウスやタブレットなどで構成し、表示部とは別体で構成することも可能である。
【００２４】
画像形成装置本体２の下部側には、用紙を収納して給紙する給紙トレイ１２が配置されている。給紙トレイ１２は、多段で構成してもよい。この実施形態では、用紙は本発明の転写媒体に相当する。なお、転写媒体は、用紙に限られるものではなく、画像を印刷して搬送できるものであればよく、その材質は問わない。
【００２５】
画像形成装置本体２内には、給紙トレイ１２から給紙される用紙を搬送する搬送経路１５が設けられており、画像形成装置本体２内の搬送経路途中に、画像形成部１６が設けられている。画像形成部１６では、各色用の感光体１６Ａと中間転写ベルト１６Ｂ、二次転写部１６Ｃを有しており、感光体１６Ａの周囲には、各色用に、図示しない、帯電器、ＬＤ、現像器が配置されている。さらに、さらに二次転写部１６Ｃの下流側の搬送経路１５には定着器１６Ｄが配置されている。この実施形態では、搬送経路１５は、図示しない搬送ローラや駆動モータなどとともに本発明の搬送部を構成する。
【００２６】
定着器１６Ｄの下流側で、搬送経路１５が伸長して排紙部１７に接続されている。排紙部１７は、そのまま排紙トレイなどを設置するものであってもよく、また、図示しない後処理装置の搬送経路に接続されるものであってもよい。
また、搬送経路１５は、定着器１６Ｄの下流側で分岐して、画像形成部１６の上流側の搬送経路１５に合流する反転搬送経路１５Ａを有している。反転搬送経路１５Ａには、用紙を反転させる機構（図示しない）を有している。反転搬送経路１５Ａで反転された用紙は、反転搬送経路１５Ａを通して画像形成部１６の上流側の搬送経路１５に返流して用紙の裏面側に画像を印刷することができる。
【００２７】
画像形成部１６では、帯電器により画像書込み前に感光体１６Ａの表面を一様に帯電し、画像書き込み部により表面が一様に帯電された感光体１６Ａにレーザ照射などをして感光体１６Ａに静電潜像を形成する。現像器は、感光体１６Ａに形成された静電潜像をトナー材によって現像する。この現像処理によって、感光体１６Ａにトナー画像が形成される。感光体１６Ａのトナー画像は、中間転写ベルト１６Ｂに転写され、二次転写部１６Ｃによって、給紙トレイ１２から搬送されてきた用紙にトナー画像が転写される。トナー画像が転写された用紙は、搬送経路１５に沿って搬送されて定着器１６Ｄに至る。
感光体１６Ａや中間転写ベルト１６Ｂに残留したトナー材は、図示しないクリーニング部によって除去される。
【００２８】
定着器１６Ｄは、搬送された用紙を加熱することにより用紙の表面側に転写されたトナー画像を出力画像として定着する。この定着により、用紙への画像の印刷が完了する。
定着処理が施された用紙は、搬送経路１５によってそのまま排紙部１７に排出するか、反転搬送経路１５Ａを通して表裏が反転された後、画像形成部１６の上流側の搬送経路１５に返流される。表裏反転された用紙は、画像形成部１６によって裏面への画像印刷を行うことができる。
【００２９】
また、定着器１６Ｄと、搬送経路１５の分岐地点との間には、搬送経路１５を通して搬送される用紙の画像を測色するラインセンサー１８が設置されている。なお、測色の構成は、ＣＩＳ（コンタクトイメージセンサ）などを用いてもよく、配置構成はラインセンサーに限定されるものではなく、用紙の画像の測色を行えるものであれば、その構成が特に限定されるものではない。ラインセンサー１８やＣＩＳは、本発明の測色部に相当する。
【００３０】
なお、この実施形態では、画像形成装置１に、用紙上の画像の測色を行うラインセンサー１８を備えるものとして説明したが、画像形成装置１外に用紙上の画像の測色を行う測色部を有していてもよく、測色部は、測色データを得られるものであれば、画像形成装置１とオフラインのものであってもよい。オフラインの測色部では、測色データは、リムーバルの記憶メモリーによって測色部から取り出し、画像形成装置で読み出すようにすることができる。また、測色部は機械的に画像形成装置に接続される他、ネットワークやシリアルケーブルなどで画像形成装置に電気的に接続され、機械的には接続されていないものであってもよい。
【００３１】
制御部１００およびその周辺の機能ブロックを図２に示す。
状態管理部１０１は、画像形成装置１の全体を制御し、また画像形成システム１全体の状態把握を行う。状態管理部１０１には、記憶部１０２が接続されている。記憶部１０２には、プログラムなどを格納するＲＯＭ、作業エリアとなるＲＡＭ、データを不揮発に記憶する、フラッシュメモリー、ＨＤＤなどの不揮発メモリーなどを有している。不揮発メモリーには、画像形成システムの動作パラメータや、ターゲットカラープロファイル、測色された測色データ、画像の調整を行う際の調整値、用紙プロファイル、出力プロファイルなどが読み書き可能に格納されている。
【００３２】
状態管理部１０１には、前記したように、スキャナー部１３０が制御可能に接続されている。スキャナー部１３０では、原稿が読み取られて画像データが取得され、状態管理部１０１に送信される。状態管理部１０１は、画像データに対し必要に応じてデータ処理を行い、記憶部１０２に格納する。
【００３３】
また、状態管理部１０１には印刷制御部１０３が接続されている。印刷制御部１０３には、画像形成部１６が制御可能に接続されている。印刷制御部１０３は、記憶部１０２から画像データを読み出し、画像形成部１６を制御することにより、用紙に画像を形成し、また、必要に応じて色調整などを行うことができる。
【００３４】
状態管理部１０１では、記憶部１０２に記憶されたターゲットカラープロファイルの情報に基づいてテストチャートを画像形成部１６で印刷する制御を行うことができる。ターゲットカラープロファイルは、テストチャートを印刷するための情報を保持している。
状態管理部１０１は、ターゲットカラープロファイルに基づいてテストチャートを印刷するために、デバイス非依存の画像データを画像形成装置依存の画像データに色変換するため、画像形成装置１に備える出力プロファイルに基づいて印刷を行う。画像形成の調整値が設定されていれば、この調整値による調整を行った印刷を行う。
【００３５】
状態管理部１０１には、搬送制御部１０６が接続されている。搬送制御部１０６は、給紙トレイ１２から給紙された用紙を搬送する搬送部を制御する。搬送部は、搬送経路１５、反転搬送経路１５Ａおよび搬送経路上の搬送ローラや搬送ローラを駆動するモータなどによって構成されている。
【００３６】
状態管理部１０１には、ラインセンサー制御部１０７が接続されている。ラインセンサー制御部１０７は、ラインセンサー１８の動作を制御し、ラインセンサー１８で読み取られた用紙の測色データを受信し、状態管理部１０１に送信する。
【００３７】
状態管理部１０１には、比較部１０９が制御可能に接続されている。比較部１０９は、テストチャートが印刷された用紙について、ラインセンサー１８で測色され、状態管理部１０１で取得した測色データと、記憶部１０２に格納されたターゲットカラープロファイルに含まれるターゲットチャートのデータとを比較し、色差などを求める。色差は、状態管理部１０１に送信される。
【００３８】
状態管理部１０１は、上記色差に基づいて、画像形成部１６の色調整を行う色調整機能を有している。色調整機能は、上記色差を得た場合に、自動的に画像形成部に対する色調整を行ってもよく、また、表示部１４を通して操作者の指示によって行うようにしてもよい。色調整機能では、テストチャートとターゲットチャートの色差ができるだけ小さくなるように実施する。色調整における調整値は、用紙プロファイルと関連付けて記憶部１０２に格納する。また、用紙媒体毎に記録する場合、用紙媒体毎に記憶部１０２に格納する。
用紙プロファイルに関連付けて記憶部１０２に格納する際には、関連付けるデータを用紙プロファイルの項目として記録してもよく、用紙プロファイル以外のデータとして関連付けデータを含めて記録するようにしてもよい。
【００３９】
色調整後の色差は、算出により推定値を得ることも可能であるが、色調整後に画像形成部１６でテストチャートを印刷し、このテストチャートをラインセンサー１８で測色し、測色データを得た後、比較部１０９で測色データとターゲットチャートとを比較し、色差を求めることができる。この工程により、色差を正確に把握することができる。この色差は、用紙プロファイルと関連付けて記憶部１０２に格納する。また、用紙媒体毎に記録する場合、用紙媒体毎に記憶部１０２に格納する。
用紙プロファイルに関連付けて記憶部１０２に格納する際には、関連付けるデータを用紙プロファイルの項目として記録してもよく、用紙プロファイル以外のデータとして関連付けデータを含めて記録するようにしてもよい。
【００４０】
次に、上記色調整後に、用紙プロファイルに色差を格納する手順を図３のフローチャートに基づいて説明する。なお、以下の手順は、制御部１００の制御によって実行される。
先ず、ターゲットカラープロファイルを記憶部１０２から読み出す（ステップｓ１）。ターゲットカラープロファイルは、予め入手しておいたものでもよく、また、ネットワークやリムーバルな記憶メモリーなどに格納されているものを入手したものでもよい。入手されたターゲットカラープロファイルは、記憶部１０２に一旦格納される。
【００４１】
ターゲットカラープロファイルを記憶部１０２から読み出した後、ターゲットカラープロファイルに基づいて画像形成部１６でテストチャートを印刷する（ステップｓ２）。テストチャートの用紙の用紙プロファイルは、制御部１００で把握されている。テストチャートが印刷された用紙は、搬送経路１５で搬送され、ラインセンサー１８によって画像が読み込まれて測色データが得られる（ステップｓ３）。測色データは、状態管理部１０１に送信され、一旦、記憶部１０２に格納される（ステップｓ４）。
【００４２】
状態管理部１０１は、記憶部１０２から測色データとターゲットカラープロファイルに基づいたターゲットチャートのデータを読み出し、比較部１０９にこれらデータを引き渡す。ターゲットチャートは、ターゲットカラープロファイルに含まれて提供されている。
比較部１０９では、両データを比較して（ステップｓ５）、比較結果を状態管理部１０１に送出する。状態管理部１０１では、比較結果から色差を算出し（ステップｓ６）、色調整後であるかを判定する（ステップｓ７）。色調整後でない場合（ステップｓ７、Ｎｏ）、テストチャートがターゲット色になるように画像形成部における色調整を実施し（ステップｓ９）、テストチャートを印刷して、色差算出を行う（ステップｓ２−ｓ６）。
【００４３】
ステップｓ７で、色調整後であると判定される場合（ステップ７、Ｙｅｓ）、色調整に関する情報を用紙プロファイルに格納し（ステップｓ８）、手順を終了する。色調整結果に関する情報は、この例では、色差とターゲットカラープロファイル名である。ターゲットプロファイル名としては、例えば、ＪａｐａｎＣｏｌｏｒ（商標名；以下同じ）やＳＮＡＰ（商標名；以下同じ）などが挙げられる。ターゲットカラープロファイル名は、ターゲットカラープロファイル名は、ターゲットカラープロファイルを識別する情報に相当する。
色調整結果に関する情報は、用紙プロファイルに関連付けて記録される。この例では、色調整結果に関する情報は、用紙プロファイル内に記録される。ただし、色調整結果に関する情報は、用紙プロファイルに関連した他のデータとして記録されてもよい。用紙プロファイルは、本発明の転写媒体プロファイルに相当する。
また、色調整における調整値は、用紙プロファイルに関連付けて記憶部に格納される。
用紙プロファイルへの関連付けでは、さらに用紙属性毎に記憶部に格納される。用紙属性は、本発明における転写媒体属性に相当する。
【００４４】
図４は、画像形成装置において、カラープロファイルに基づいて印刷を行う形態の概略を示している。
画像形成装置１では、プリンタ成り行きの色Ｂに対し、通常は、補正ＬＵＴ（ルックアップテーブル）を用いてコントラスト調整やγ補正が行われて、いつも同じ色Ｇが得られる。補正ＬＵＴは、高い頻度で変更される。
いつも同じ色Ｇは、Ｐｒｉｎｔｅｒプロファイル（出力プロファイル）を用いて画像形成装置なりの色Ｂに従って印刷される。出力プロファイルは、変更頻度が低い。
【００４５】
一方、規格なりのカラープロファイル（例えばＪａｐａｎＣｏｌｏｒ）を使用する場合、プリンタ成り行きの色Ｂが、カラープロファイル（色変換プロファイル）に基づいてデバイス依存の画像データからデバイス非依存の画像データに色変換されて、出力プロファイルによって印刷がされ、規格通りの色が得られる。
規格に従って印刷が行われた場合、画像形成装置１では、色差が小さくなっているが、その色差は、印刷に用いられている用紙によって異なる。用紙プロファイルを参照すれば、その際の色差は、用紙プロファイルから分かる。この色差（Δ）が、色精度検証によって規格内にあれば、色の品質証明を容易に行うことができる。
【００４６】
次に、用紙プロファイルのデータ内容を具体的に説明する。
表１は、用紙プロファイルデータが格納された用紙プロファイルテーブルを示している。このテーブルは、用紙プロファイルの呼び出しによって表示部１４に表示される。なお、用紙属性キーは非表示とする。
用紙プロファイルテーブルでは、登録Ｎｏ．毎に、用紙プロファイル名が与えられ、それぞれの登録Ｎｏ．で、用紙サイズ、用紙属性キー、紙種、坪量、ターゲットプロファイル名、色差データ（画質レベル）、紙色の項目が与えられている。ターゲットプロファイル名、色差データは、色調整後の結果に関する情報として記録されている。プロファイル１〜３では、ＪａｐａｎＣｏｌｏｒのターゲットファイルによってそれぞれ色差が与えられている。色差データは、数値が大きいものほど、色差が大きくなっている。色差データは、色の再現性に影響がある紙種、坪量に従って、異なる数値が示されている。プロファイル４では、ＳＮＡＰのターゲットファイルによって色差が与えられている。
【００４７】
用紙属性テーブルでは、用紙属性として、紙種と坪量に基づいて異なるキー番号が与えられており、具体的には表２において、キー番号１〜９において、紙種と坪量がそれぞれ指定されている。
【００４８】
各用紙属性キーでは、調整値テーブルが用紙属性キーを介して用紙プロファイルに関連付けられている。調整値テーブルは、用紙属性キーとプリンタ出力ファイルの項目を有している。その内容は表３に示されている。調整値としてのガンマ補正は、用紙属性に応じて与えられている。また、プリンタ出力プロファイルでは、用紙属性キー毎に設定されている。プリンタ出力プロファイルに色調整における調整値を含むものであってもよい。
【００４９】
【表１】
2016150469.tif 000003
【００５０】
【表２】
2016150469.tif 000004
【００５１】
【表３】
2016150469.tif 000005
【００５２】
次に、用紙プロファイルを新規に登録する際の手順を図５のフローチャートに基づいて説明する。この例では、表１に示すように、用紙プロファイル画面に４つの用紙プロファイルが登録されており、５つ目の用紙プロファイルを新規登録するときに、５つ目と同じ用紙属性キーを持つ他の用紙プロファイルの調整値と色差データが一括更新されるものについて説明する。
【００５３】
先ず、新規プロファイルを記憶部に新規に登録する（ステップｓ１０１）。新規のプロファイル５の例を表４に示す。用紙プロファイルでは、用紙サイズ、紙種、坪量が設定される。
【００５４】
【表４】
2016150469.tif 000006
【００５５】
次に、用紙属性テーブルから紙種と坪量を順に検索する（ステップｓ１０２）。この例では、表４に示すように、用紙属性テーブルから紙種が「塗工紙」、坪量が「８１−９１／ｍ２」のデータを検索する。
該当ありで次ステップに進むが、該当がない場合、用紙属性テーブルに該当する紙種、坪量を追加することができる。
すなわち、該当有りの場合（ステップｓ１０２、該当あり）、該当する主キー値を用紙プロファイルテーブルの用紙属性キーへ格納する（ステップｓ１０３）。
この例では、表２に示される用紙属性テーブルから、表５に示すように、用紙属性キーに「９」が自動的に入る。
【００５６】
【表５】
2016150469.tif 000007
【００５７】
次に、用紙プロファイルテーブルから主キーとターゲットプロファイル名を順に検索する（ステップｓ１０４）。該当があれば（ステップｓ１０４、該当あり）、該当する色差データを用紙プロファイルテーブルの色差データへ格納する（ステップｓ１０５）。上記検索の結果、該当がなければ（ステップｓ１０４，該当なし）、「不明」を用紙プロファイルテーブルの色差データへ格納する（ステップｓ１０６）。
この例では、ステップｓ１０４において、用紙プロファイルテーブルから、主キーが「９」、ターゲットプロファイルが「ＳＮＡＰ」のデータを検索し、ステップｓ１０５で、該当する他の用紙プロファイルが存在すれば、表６に示すように、その色差データをプロファイル５の色差データのデフォルト値とする。
【００５８】
【表６】
2016150469.tif 000008
【００５９】
ステップｓ１０５またはステップｓ１０６の後、給紙トレイに所定の用紙（この例では「Ｉｎｖｏｉｃｅ」）をセットし、用紙プロファイル（この例ではプロファイル５）を呼び出して設定する（ステップｓ１０７）。
【００６０】
上記給紙トレイの用紙（この例では「Ｉｎｖｏｉｃｅ」用紙）を用いて、テストチャートを印刷し、ラインセンサーでテストチャートの測色を行う（ステップｓ１０８）。測色で得られた測色データとターゲットチャートのデータを比較して、画像形成部に対し、テストチャートがターゲットの色になるように色調整を実施する（ステップｓ１０９）。色調整した後、同じくテストチャートの印刷と測色を行い、上記と同様にして色差を求める。求めた色差によって、給紙トレイとリンクした用紙プロファイルの色差データを更新する（ステップｓ１１０）。例えば、色調整後の色差がΔ１であれば、プロファイル５の色差データを「Δ２」から「Δ１」に変更される。
【００６１】
次に、調整値テーブルから主キーを順に検索する（ステップｓ１１１）。例えば、プロファイル５のデータが更新される際に、表３の調整値テーブルから主キーが「９」のデータを検索する。
該当があれば（ステップｓ１１１、該当あり）、調整値テーブルの該当する用紙属性キーの調整値を更新する（ステップｓ１１２）。該当がなければ（ステップｓ１１１、該当なし）、調整値テーブルへ調整値を新規登録する（ステップｓ１１３）。
ステップｓ１１２またはステップｓ１１３の後、用紙プロファイルテーブルの該当する用紙属性キーの色差データを一括更新し（ステップｓ１１４）、手順を終了する。
この例では、用紙プロファイルテーブルの用紙属性キーが「９」の色差データを、一括更新する。一括更新では、用紙サイズは、色の再現性に影響を与えないものとして行っている。
【００６２】
以上、本発明について上記実施形態に基づいて説明を行ったが、本発明の範囲を逸脱しない限りは適宜の変更が可能である。
【符号の説明】
【００６３】
１    画像形成装置
１４    表示部
１５    搬送経路
１６    画像形成部
１８    ラインセンサー
１００    制御部
１０１    状態管理部
１０２    記憶部
１０３    印刷制御部
１０６    搬送制御部
１０７    ラインセンサー制御部
１０９    比較部
【図１】
2016150469.tif 000009
【図２】
2016150469.tif 000010
【図３】
2016150469.tif 000011
【図４】
2016150469.tif 000012
【図５】
2016150469.tif 000013